(57)【要約】【課題】  光記録媒体に対する記録・再生時における処理時間の短縮を図ることが可能な欠陥領域管理方法、及び光記録媒体制御装置を提供することを目的とする。【解決手段】  欠陥セクタのうちの光記録媒体の製造時に発生した一次欠陥セクタが検出された場合に、ＥＣＣ（誤り訂正符号）ブロックのうちの、この一次欠陥セクタを含むＥＣＣブロック１１に含まれる全てのセクタのアドレス情報をＰＤＬ（一次欠陥リスト）４０６に格納し、ＰＤＬ４０６に登録されているセクタのアドレス情報を参照して、一次欠陥セクタを含むＥＣＣブロック１１がデータの記録時及び再生時に使用されないようにする。【選択図】  図１
2005310215.tif 000002
【特許請求の範囲】
【請求項１】
光記録媒体の欠陥セクタの位置を管理することで、欠陥セクタがデータの記録時及び再生時に使用されないようにする欠陥領域管理方法であって、
前記光記録媒体の記録領域は、連続する所定数のセクタを単位として複数のブロックに区切られており、
前記欠陥セクタのうちの光記録媒体の製造時に発生した一次欠陥セクタが検出された場合に、前記ブロックのうちの、この一次欠陥セクタを含むブロックの位置を指定する情報を登録し、
該登録されているブロックの位置を指定する情報を参照して、前記一次欠陥セクタを含むブロックがデータの記録時及び再生時に使用されないようにすることを特徴とする欠陥領域管理方法。
【請求項２】
前記一次欠陥セクタを含むブロックの位置を指定する情報として、該ブロックに含まれる全てのセクタの位置を示すアドレス情報を登録することを特徴とする請求項１に記載の欠陥領域管理方法。
【請求項３】
前記一次欠陥セクタを含むブロックの位置を指定する情報として、前記一次欠陥セクタを含むブロックとこれに隣接するブロックとの境界のセクタの位置を表すアドレス情報を登録することを特徴とする請求項１に記載の欠陥領域管理方法。
【請求項４】
前記ブロックのうちのディスク書き込み時に行われる正常なデータ書き込みができているか否かのチェックにより検出された二次欠陥セクタを含むブロックと、これに隣接するブロックとの境界のセクタの位置を表すアドレス情報をリストに登録し、
該リストに登録されている前記アドレス情報を参照して、前記二次欠陥セクタを含むブロックがデータの記録時及び再生時に使用されないようにし、
前記一次欠陥セクタを含むブロックの位置を指定する情報を、前記二次欠陥セクタを含むブロックとこれに隣接するブロックとの境界のセクタの位置を表すアドレス情報を登録するリストに登録することを特徴とする請求項３に記載の欠陥領域管理方法。
【請求項５】
前記ブロックが、光記録媒体に対してデータの記録及び再生を行う際の処理単位であることを特徴とする請求項１ないし４記載の欠陥領域管理方法。
【請求項６】
前記ブロックがＥＣＣ（誤り訂正符号）ブロックであることを特徴とする請求項1ない５に記載の欠陥領域管理方法。
【請求項７】
光記録媒体に対して記録されている、記録又は再生時のデータ処理単位を前記セクタ単位とするかブロック単位とするかを判定するための判定用のデータを認識して、該判定用のデータから判定したデータ処理単位により、光記録媒体に対して記録又は再生を行うようにしたことを特徴とする請求項１ないし６に記載の欠陥領域管理方法。
【請求項８】
光記録媒体の欠陥セクタの位置を管理することで、欠陥セクタがデータの記録時及び再生時に使用されないようにする光記録媒体制御装置であって、
前記光記録媒体の記録領域は、連続する所定数のセクタを単位として複数のブロックに区切られており、
前記欠陥セクタのうちの光記録媒体の製造時に発生した一次欠陥セクタが検出された場合に、前記ブロックのうちの、この一次欠陥セクタを含むブロックの位置を指定する情報を登録し、
該登録されているブロックの位置を指定する情報を参照して、前記一次欠陥セクタを含むブロックがデータの記録時及び再生時に使用されないようにすることを特徴とする光記録媒体制御装置。
【請求項９】
前記一次欠陥セクタを含むブロックの位置を指定する情報として、該ブロックに含まれる全てのセクタの位置を示すアドレス情報を登録することを特徴とする請求項８に記載の光記録媒体制御装置。
【請求項１０】
前記一次欠陥セクタを含むブロックの位置を指定する情報として、前記一次欠陥セクタを含むブロックとこれに隣接するブロックとの境界のセクタの位置を表すアドレス情報を登録することを特徴とする請求項８に記載の光記録媒体制御装置。
【請求項１１】
前記ブロックのうちのディスク書き込み時に行われる正常なデータ書き込みができているか否かのチェックにより検出された二次欠陥セクタを含むブロックと、これに隣接するブロックとの境界のセクタの位置を表すアドレス情報をリストに登録し、
該リストに登録されている前記アドレス情報を参照して、前記二次欠陥セクタを含むブロックがデータの記録時及び再生時に使用されないようにし、
前記一次欠陥セクタを含むブロックの位置を指定する情報を、前記二次欠陥セクタを含むブロックとこれに隣接するブロックとの境界のセクタの位置を表すアドレス情報を登録するリストに登録することを特徴とする請求項１０に記載の光記録媒体制御装置。
【請求項１２】
前記ブロックが、光記録媒体に対してデータの記録及び再生を行う際の処理単位であることを特徴とする請求項８ないし１１記載の光記録媒体制御装置。
【請求項１３】
前記ブロックがＥＣＣブロックであることを特徴とする請求項８ないし１２に記載の光記録媒体制御装置。
【請求項１４】
光記録媒体に対して記録されている、記録又は再生時のデータ処理単位を前記セクタ単位とするかブロック単位とするかを判定するための判定用のデータを認識して、該判定用のデータから判定したデータ処理単位により、光記録媒体に対して記録又は再生を行うようにしたことを特徴とする請求項８ないし１３に記載の光記録媒体制御装置。
【発明の詳細な説明】
【技術分野】
【０００１】
本発明は、記録可能な光ディスク等の光記録媒体に対してデータの記録／再生を行う際の、光記録媒体の欠陥領域を管理するための欠陥領域管理方法、及び欠陥領域の管理を行う光記録媒体制御装置に関するものである。
【背景技術】
【０００２】
光ディスク等の光記録媒体には、媒体の欠陥や傷、繰り返し書き換え時の劣化が発生した場合でもデータの信頼性を保証するために、欠陥領域を管理する方法が存在する。以下、ＤＶＤ−ＲＡＭディスクを例として挙げ、欠陥領域管理方法について説明する。
【０００３】
光ディスクに発生する欠陥は大きく２種類に分類される。一つは光ディスク製造時等に発生した一次欠陥である。一次欠陥は、光ディスクの工場出荷時や、物理フォーマット時に行うサーティファイにより検出する。もう一つは使用することにより発生するディスクの表面の傷や異物による二次欠陥である。この二次欠陥は記録時のベリファイにより検出する。
【０００４】
ＤＶＤ−ＲＡＭの欠陥領域管理情報は、ディスクの内周のリードイン領域に２個所、外周のリードアウト領域に２個所というようにそれぞれ２個所ずつ合計４個所に記録されている。この領域をここではＤＭＡ(欠陥管理領域)と呼ぶ。４個所のＤＭＡは同一の内容を多重記録することにより、データの信頼性を確保している。ＤＭＡは更にディスクの初期化に関する情報などを記録したＤＤＳ（Disc Definition Structure）、サーティファイにより検出された一次欠陥セクタの位置を表すアドレス情報を登録すためのリストであるＰＤＬ（初期欠陥リスト）、ディスクへのデータの書き込み時においてのベリファイにより検出された二次欠陥のセクタの位置を表すアドレス情報を登録するためのリストであるＳＤＬ（二次欠陥リスト）を有する。
【０００５】
ＤＶＤ−ＲＡＭディスクでは、欠陥セクタが検出された場合において、一次欠陥発見時と二次欠陥発見時では、欠陥領域の管理方法が異なる。ＤＶＤ−ＲＡＭディスクにおける欠陥領域管理方法を、図８ないし図１１を用いて説明する。
【０００６】
まず、サーティファイにより検出された一次欠陥セクタに対しては、ＰＤＬを用いてスリップ交替を行うことにより欠陥管理を行う。例えば図８のように、データ記録領域８０の、本来、セクタ番号３，７，８を付ける領域に一次欠陥が発見された場合、その欠陥セクタの位置を表すアドレス情報をＰＤＬ８１へ登録する。そして図９で示すように、一次欠陥のある物理アドレス９１にはセクタ番号を与えず、その一次欠陥のセクタをセクタ単位で飛ばす、即ちスキップする。次に現れるセクタが欠陥の無い領域ならば、セクタ番号を３，７，８と割り付ける。このため、代替させたセクタ以降の全てのセクタで、論理アドレス９０と物理アドレス９１の対応がずれる。
【０００７】
また、ディスク書き込み時のベリファイにより発見された二次欠陥セクタに対しては、ＳＤＬを用いてリニア交替を行うことにより欠陥管理を行う。スリップ交替は１セクタ単位で行うのに対し、リニア交替は１ＥＣＣ（誤り訂正符号）ブロック単位で行われる。例えば、図１０のように、データ記録領域１００の本来セクタ番号３，７，８を付けるセクタに二次欠陥が検出された場合、そのセクタを含むＥＣＣブロック全体を欠陥と判定し、ＳＤＬ１０１へブロック境界の先頭セクタ１０２のアドレス情報を登録し、そのＥＣＣブロックは使用しない。この場合、図１１で示すように、データ記録領域１１０の二次欠陥が検出されたセクタを含むＥＣＣブロックの代わりに、代替セクタ領域１１１にあるブロックを使用することでディスクの欠陥管理を行う。
【０００８】
従来の欠陥領域管理方法のアルゴリズムを図１２のフローチャートに示す。図１２のフローチャートを用いて、従来の欠陥領域管理方法について説明する。
【０００９】
まず、欠陥領域の検出が行われ、ステップＳ１２１において、光ディスク媒体に一次欠陥が検出されない場合は、そのまま全ての処理が終了するが、光ディスク媒体に一次欠陥が検出された場合、ステップＳ１２２においてその一次欠陥セクタの位置を表すアドレス情報をＰＤＬ領域へ登録する。続いて、ステップＳ１２３により一次欠陥セクタにはセクタ番号を与えず、一次欠陥のセクタをセクタ単位で飛ばし、即ちスキップし、その欠陥セクタは使用しない。
【００１０】
さらに、ステップＳ１２４において、後続するセクタに一次欠陥が存在する場合、ステップＳ１２２の処理へ移る。後続するセクタに一次欠陥が存在しない場合はステップＳ１２５の処理へ移る。ステップＳ１２５において、一次欠陥の検出されたセクタを、そのセクタに後続する最初の正常セクタによって置き換え、処理を終了する。
【００１１】
以上のように、従来は、光記録媒体に一次欠陥セクタが存在する場合、１セクタ単位でスキップして欠陥管理を行っており、光記録媒体の一次欠陥に対する欠陥管理を行うためには、１セクタ単位での処理を余儀なくされていた。
【特許文献１】特開２００１−２２９６２３号公報
【発明の開示】
【発明が解決しようとする課題】
【００１２】
以上のように、ＤＶＤ−ＲＡＭディスクでの従来の欠陥管理方法としては、一次欠陥が発見された場合、ＰＤＬへ所定の情報を登録し、１セクタ単位でスリップ交替を行い、信号の記録・再生処理を行っていた。
【００１３】
しかしこの場合、これから処理を行うセクタがＰＤＬに登録されているかどうかの判定を１セクタ単位で行わなくてはならず、処理時間の短縮を図ることが難しくなり、高倍速での記録・再生処理になるにつれ性能を達成することが困難となる。
【００１４】
また、セクタ単位で記録・再生の処理を行うため、１ＥＣＣブロック単位で記録・再生の処理を行うことができる光記録媒体以外の他のメディアと比べて処理内容が複雑になり、光ディスク制御装置の設計・評価に時間が掛かってしまい、かつ光ディスク制御装置の保守、運用が困難になる。
【００１５】
この発明は、上記のような問題点を解消するためになされたものであり、光記録媒体に対する記録・再生時における処理時間の短縮を図ることが可能な欠陥領域管理方法、及び光記録媒体制御装置を提供することを目的とする。
【課題を解決するための手段】
【００１６】
本発明に係る欠陥領域管理方法は、光記録媒体の欠陥セクタの位置を管理することで、欠陥セクタがデータの記録時及び再生時に使用されないようにする欠陥領域管理方法であって、前記光記録媒体の記録領域は、連続する所定数のセクタを単位として複数のブロックに区切られており、前記欠陥セクタのうちの光記録媒体の製造時に発生した一次欠陥セクタが検出された場合に、前記ブロックのうちの、この一次欠陥セクタを含むブロックの位置を指定する情報を登録し、該登録されているブロックの位置を指定する情報を参照して、前記一次欠陥セクタを含むブロックがデータの記録時及び再生時に使用されないようにするようにしたものである。
【００１７】
また、本発明に係る欠陥領域管理方法は、前記一次欠陥セクタを含むブロックの位置を指定する情報として、該ブロックに含まれる全てのセクタの位置を示すアドレス情報を登録するようにしたものである。
【００１８】
また、本発明に係る欠陥領域管理方法は、前記一次欠陥セクタを含むブロックの位置を指定する情報として、前記一次欠陥セクタを含むブロックとこれに隣接するブロックとの境界のセクタの位置を表すアドレス情報を登録するようにしたものである。
【００１９】
また、本発明に係る欠陥領域管理方法は、前記ブロックのうちのディスク書き込み時に行われる正常なデータ書き込みができているか否かのチェックにより検出された二次欠陥セクタを含むブロックと、これに隣接するブロックとの境界のセクタの位置を表すアドレス情報をリストに登録し、該リストに登録されている前記アドレス情報を参照して、前記二次欠陥セクタを含むブロックがデータの記録時及び再生時に使用されないようにし、前記一次欠陥セクタを含むブロックの位置を指定する情報を、前記二次欠陥セクタを含むブロックとこれに隣接するブロックとの境界のセクタの位置を表すアドレス情報を登録するリストに登録するようにしたものである。
【００２０】
また、本発明に係る欠陥領域管理方法は、前記ブロックが、光記録媒体に対してデータの記録及び再生を行う際の処理単位であるようにしたものである。
【００２１】
また、本発明に係る欠陥領域管理方法は、前記ブロックがＥＣＣブロックであるようにしたものである。
【００２２】
また、本発明に係る欠陥領域管理方法は、光記録媒体に対して記録されている、記録又は再生時のデータ処理単位を前記セクタ単位とするかブロック単位とするかを判定するための判定用のデータを認識して、該判定用のデータから判定したデータ処理単位により、光記録媒体に対して記録又は再生を行うようにしたものである。
【００２３】
本発明に係る光記録媒体制御装置は、光記録媒体の欠陥セクタの位置を管理することで、欠陥セクタがデータの記録時及び再生時に使用されないようにする光記録媒体制御装置であって、前記光記録媒体の記録領域は、連続する所定数のセクタを単位として複数のブロックに区切られており、前記欠陥セクタのうちの光記録媒体の製造時に発生した一次欠陥セクタが検出された場合に、前記ブロックのうちの、この一次欠陥セクタを含むブロックの位置を指定する情報を登録し、該登録されているブロックの位置を指定する情報を参照して、前記一次欠陥セクタを含むブロックがデータの記録時及び再生時に使用されないようにするものである。
【００２４】
また、本発明に係る光記録媒体制御装置は、前記一次欠陥セクタを含むブロックの位置を指定する情報として、該ブロックに含まれる全てのセクタの位置を示すアドレス情報を登録するものである。
【００２５】
また、本発明に係る光記録媒体制御装置は、前記一次欠陥セクタを含むブロックの位置を指定する情報として、前記一次欠陥セクタを含むブロックとこれに隣接するブロックとの境界のセクタの位置を表すアドレス情報を登録するものである。
【００２６】
また、本発明に係る光記録媒体制御装置は、前記ブロックのうちのディスク書き込み時に行われる正常なデータ書き込みができているか否かのチェックにより検出された二次欠陥セクタを含むブロックと、これに隣接するブロックとの境界のセクタの位置を表すアドレス情報をリストに登録し、該リストに登録されている前記アドレス情報を参照して、前記二次欠陥セクタを含むブロックがデータの記録時及び再生時に使用されないようにし、前記一次欠陥セクタを含むブロックの位置を指定する情報を、前記二次欠陥セクタを含むブロックとこれに隣接するブロックとの境界のセクタの位置を表すアドレス情報を登録するリストに登録するものである。
【００２７】
また、本発明に係る光記録媒体制御装置は、前記ブロックが、光記録媒体に対してデータの記録及び再生を行う際の処理単位であるようにしたものである。
【００２８】
また、本発明に係る光記録媒体制御装置は、前記ブロックがＥＣＣブロックであるようにしたものである。
【００２９】
また、本発明に係る光記録媒体制御装置は、光記録媒体に対して記録されている、記録又は再生時のデータ処理単位を前記セクタ単位とするかブロック単位とするかを判定するための判定用のデータを認識して、該判定用のデータから判定したデータ処理単位により、光記録媒体に対して記録又は再生を行うようにしたものである。
【発明の効果】
【００３０】
本発明に係る欠陥領域管理方法によれば、光記録媒体の欠陥セクタの位置を管理することで、欠陥セクタがデータの記録時及び再生時に使用されないようにする欠陥領域管理方法であって、前記光記録媒体の記録領域は、連続する所定数のセクタを単位として複数のブロックに区切られており、前記欠陥セクタのうちの光記録媒体の製造時に発生した一次欠陥セクタが検出された場合に、前記ブロックのうちの、この一次欠陥セクタを含むブロックの位置を指定する情報を登録し、該登録されているブロックの位置を指定する情報を参照して、前記一次欠陥セクタを含むブロックがデータの記録時及び再生時に使用されないようにするようにしたので、欠陥管理を１セクタ単位では行わず１ＥＣＣブロック単位で行うことができ、１セクタ毎の欠陥判定を行う必要が無くなるため、光記録媒体の記録・再生時における処理時間短縮を図ることができ、また、記録・再生の処理の負荷も減少させることができ、開発段階における設計・評価に掛かる時間も短縮でき、かつ保守、運用を行い易くすることができる。
【００３１】
また、本発明に係る欠陥領域管理方法によれば、前記一次欠陥セクタを含むブロックの位置を指定する情報として、該ブロックに含まれる全てのセクタの位置を示すアドレス情報を登録するようにしたので、一度に行う記録・再生の処理単位をブロック単位にすることにより光記録媒体の記録・再生時における処理時間短縮を図ることができ、また、記録・再生の処理の負荷も減少させることができる。
【００３２】
また、本発明に係る欠陥領域管理方法によれば、前記一次欠陥セクタを含むブロックの位置を指定する情報として、前記一次欠陥セクタを含むブロックとこれに隣接するブロックとの境界のセクタの位置を表すアドレス情報を登録し、一度に行う記録・再生の処理単位をブロック単位にすることにより光記録媒体の記録・再生時における処理時間短縮を図ることができ、また、記録・再生の処理の負荷も減少させることができる。
【００３３】
また、本発明に係る欠陥領域管理方法によれば、前記ブロックのうちのディスク書き込み時に行われる正常なデータ書き込みができているか否かのチェックにより検出された二次欠陥セクタを含むブロックと、これに隣接するブロックとの境界のセクタの位置を表すアドレス情報をリストに登録し、該リストに登録されている前記アドレス情報を参照して、前記二次欠陥セクタを含むブロックがデータの記録時及び再生時に使用されないようにし、前記一次欠陥セクタを含むブロックの位置を指定する情報を、前記二次欠陥セクタを含むブロックとこれに隣接するブロックとの境界のセクタの位置を表すアドレス情報を登録するリストに登録するようにしたので、光記録媒体の記録・再生時における処理時間短縮を図ることができ、また、記録・再生の処理の負荷も減少させることができる。
【００３４】
また、本発明に係る欠陥領域管理方法によれば、前記ブロックが、光記録媒体に対してデータの記録及び再生を行う際の処理単位であるようにしたので、光記録媒体の記録・再生時における処理時間短縮を図ることができ、また、記録・再生の処理の負荷も減少させることができる。
【００３５】
また、本発明に係る欠陥領域管理方法によれば、前記ブロックがＥＣＣブロックであるようにしたので、光記録媒体の記録・再生時における処理時間短縮を図ることができ、また、記録・再生の処理の負荷も減少させることができる。
【００３６】
また、本発明に係る欠陥領域管理方法によれば、光記録媒体に対して記録されている、記録又は再生時のデータ処理単位を前記セクタ単位とするかブロック単位とするかを判定するための判定用のデータを認識して、該判定用のデータから判定したデータ処理単位により、光記録媒体に対して記録又は再生を行うようにしたので、光記録媒体の記録・再生時における処理時間短縮を図ることができ、また、記録・再生の処理の負荷も減少させることができる。
【００３７】
本発明に係る光記録媒体制御装置によれば、光記録媒体の欠陥セクタの位置を管理することで、欠陥セクタがデータの記録時及び再生時に使用されないようにする光記録媒体制御装置であって、前記光記録媒体の記録領域は、連続する所定数のセクタを単位として複数のブロックに区切られており、前記欠陥セクタのうちの光記録媒体の製造時に発生した一次欠陥セクタが検出された場合に、前記ブロックのうちの、この一次欠陥セクタを含むブロックの位置を指定する情報を登録し、該登録されているブロックの位置を指定する情報を参照して、前記一次欠陥セクタを含むブロックがデータの記録時及び再生時に使用されないようにしたので、欠陥管理を１セクタ単位では行わず１ＥＣＣブロック単位で行うことができ、１セクタ毎の欠陥判定を行う必要を無くして、光記録媒体の記録・再生時における処理時間短縮を図ることができ、また、記録・再生の処理の負荷も減少させることができ、開発段階における設計・評価に掛かる時間も短縮でき、かつ保守、運用を行い易くすることができる。
【００３８】
また、本発明に係る光記録媒体制御装置によれば、前記一次欠陥セクタを含むブロックの位置を指定する情報として、該ブロックに含まれる全てのセクタの位置を示すアドレス情報を登録するようにしたので、一度に行う記録・再生の処理単位をブロック単位にすることにより光記録媒体の記録・再生時における処理時間短縮を図ることができ、また、記録・再生の処理の負荷も減少させることができる。
【００３９】
また、本発明に係る光記録媒体制御装置によれば、前記一次欠陥セクタを含むブロックの位置を指定する情報として、前記一次欠陥セクタを含むブロックとこれに隣接するブロックとの境界のセクタの位置を表すアドレス情報を登録し、一度に行う記録・再生の処理単位をブロック単位にすることにより光記録媒体の記録・再生時における処理時間短縮を図ることができ、また、記録・再生の処理の負荷も減少させることができる。
【００４０】
また、本発明に係る光記録媒体制御装置によれば、前記ブロックのうちのディスク書き込み時に行われる正常なデータ書き込みができているか否かのチェックにより検出された二次欠陥セクタを含むブロックと、これに隣接するブロックとの境界のセクタの位置を表すアドレス情報をリストに登録し、該リストに登録されている前記アドレス情報を参照して、前記二次欠陥セクタを含むブロックがデータの記録時及び再生時に使用されないようにし、前記一次欠陥セクタを含むブロックの位置を指定する情報を、前記二次欠陥セクタを含むブロックとこれに隣接するブロックとの境界のセクタの位置を表すアドレス情報を登録するリストに登録するようにしたので、光記録媒体の記録・再生時における処理時間短縮を図ることができ、また、記録・再生の処理の負荷も減少させることができる。
【００４１】
また、本発明に係る光記録媒体制御装置によれば、前記ブロックが、光記録媒体に対してデータの記録及び再生を行う際の処理単位であるようにしたので、光記録媒体の記録・再生時における処理時間短縮を図ることができ、また、記録・再生の処理の負荷も減少させることができる。
【００４２】
また、本発明に係る光記録媒体制御装置によれば、前記ブロックがＥＣＣブロックであるようにしたので、光記録媒体の記録・再生時における処理時間短縮を図ることができ、また、記録・再生の処理の負荷も減少させることができる。
【００４３】
また、本発明に係る光記録媒体制御装置によれば、光記録媒体に対して記録されている、記録又は再生時のデータ処理単位を前記セクタ単位とするかブロック単位とするかを判定するための判定用のデータを認識して、該判定用のデータから判定したデータ処理単位により、光記録媒体に対して記録又は再生を行うようにしたので、光記録媒体の記録・再生時における処理時間短縮を図ることができ、また、記録・再生の処理の負荷も減少させることができる。
【発明を実施するための最良の形態】
【００４４】
以下、本発明に係る欠陥領域管理方法、及び光記録媒体制御装置について、光記録媒体として、特にＤＶＤ−ＲＡＭディスクを対象とした欠陥領域管理方法、及び光記録媒体制御装置を例に挙げて説明する。
（実施の形態１）
図３は本発明の実施の形態１に係る光ディスク装置の構成を示すブロック図である。図３において、スピンドルモータ３０１は、光ディスク媒体３０２、ここではデータ記録容量が４．７ギガバイトのＤＶＤ−ＲＡＭディスク、を回転駆動する。モータ駆動回路３０３は、スピンドルモータ３０１を駆動する。光学ヘッド３０４は、レーザ光の照射および反射光の受光により、光ディスク媒体３０２に対するデータの記録、再生を行うものである。アクチュエータ駆動回路３０５は、上記光学ヘッド３０４を駆動する。サーボ回路３０６は、スピンドルモータ３０１の回転速度制御や、光学ヘッド３０４のフォーカシング制御、トラッキング制御などを行う。ヘッドアンプ３０７は、光学ヘッド３０４から出力されるＲＦ信号を増幅した増幅ＲＦ信号を出力する。データスライサ３０８は、上記増幅ＲＦ信号を２値化したディジタル信号を出力する。クロック生成回路３０９は、ＰＬＬにより再生クロックを生成する。アドレス取得回路３１０は、再生データ信号および再生クロックに基いてアドレスを検出する。再生データデコーダ３１１は、再生データ信号および再生クロックに基づいて、デインタリーブやエラー訂正の処理を行う。バッファメモリ３１２は、記録データおよび再生データを一旦蓄積する。記録データエンコーダ３１３は、バッファメモリ３１２に蓄積されている記録データの変調、すなわちエラー訂正コードの付加やインタリーブを行って、実際に光ディスク３０２に記録されるピットパターンを示すパターンデータを生成する。レーザ駆動回路３１４は、記録データエンコーダ３１３から出力されるパターンデータに基づいて、光学ヘッド３０４のレーザ出力を制御する。インタフェース３１５は、ホストとなるパーソナルコンピュータ等のホストＰＣ３１６との間で、記録データおよび再生データの転送処理を行う。マイクロプロセッサ３１７は、光ディスク装置のデータ記録・再生処理全体の動作を制御する。
【００４５】
図４は本発明の実施の形態１に係る光ディスク装置に用いられるＤＶＤ−ＲＡＭディスクのデータ記録領域の構成を説明するための図であり、リードイン領域４０１と、データ領域４０２と、リードアウト領域４０３と、ＤＭＡ領域４０４と、ＤＤＳ領域４０５と、ＰＤＬ領域４０６と、ＳＤＬ領域４０７と、が設けられている。リードイン領域４０１は、目次やトラック情報などが記録されている。この領域内にＤＭＡ領域４０４、ＤＤＳ領域４０５、ＰＤＬ領域４０６、ＳＤＬ領域４０７が存在する。これらの詳細については後ほど詳しく説明する。データ領域４０２はユーザが使用できる領域である。データ領域４０２は３５のゾーンに区切られている。ディスク内周から外周にかけてゾーン番号が増加するとともに、各ゾーンに含まれるセクタ数も増加する。また、データ領域４０２の先頭にあたるゾーン０の先頭には一次交替領域４０８が存在する。データ領域４０２の最終ゾーンにあたるゾーン３４の末尾には二次交替領域４０９が存在する。一次交替領域４０８、二次交替領域の詳細は後ほど記載する。リードアウト領域４０３は、ディスクの終端を示す領域である。この領域にもリードインと同様、ＤＭＡ領域４０４、ＤＤＳ領域４０５、ＰＤＬ領域４０６、ＳＤＬ領域４０７が存在する。ＤＭＡ領域４０４は、光ディスク媒体の欠陥管理情報が記録される領域で、ＤＤＳ領域４０５、ＰＤＬ領域４０６、ＳＤＬ領域４０７が存在する。リードインに２ヶ所、リードアウトに２ヶ所、計４ヶ所存在する。同一の内容を多重記録することにより、光ディスク媒体におけるデータの信頼性を確保している。ＤＤＳ領域４０５には、光ディスク媒体の構造に関する情報が記録されている。ＰＤＬ領域４０６は、光ディスク媒体の工場出荷時や、物理フォーマットにより検出された欠陥である、一次欠陥（ＰＤ：PrimaryDefect）が存在するセクタのアドレス情報が記録されているリストが記録される。ＳＤＬ領域４０７は、光ディスク媒体の実際の記録・再生時に検出された欠陥である二次欠陥（ＳＤ：SecondaryDefect）が存在するセクタを含む所定の境界先頭アドレス情報が記録されているリストが記録される。一次交替領域４０８は、光ディスク媒体３０２上に二次欠陥が存在した場合、１ＥＣＣブロック単位で交替処理を行う。二次欠陥を検出した場合、二次欠陥が検出されたセクタを含む１ＥＣＣブロック全体を欠陥と判定し、ＳＤＬ領域４０７へブロック境界の先頭セクタの位置を表すアドレス情報を登録し、そのブロックは使用しない。代わりに代替セクタ領域にあるブロックを使用する。一次交替領域４０８は、上述した代替セクタ領域にあたる。二次交替領域４０９は、光ディスク媒体に二次欠陥が存在し、一次交替領域４０８内に代替可能な交替領域が残っていない場合、欠陥ブロックは二次交替領域に代替ブロックとして置き換えることができる。
【００４６】
図１は、本発明の実施の形態１に係る光ディスク装置における欠陥管理方法を説明するための図であり、データ記録領域とＰＤＬに記録されるアドレス情報との関係を示す図であり、図において、図４と同一符号を示しており、データ記録領域１０は連続する所定数のセクタを単位として複数のブロック、ここでは複数のＥＣＣブロック１１に区切られている。ＰＤＬ４０６は上述したように一次欠陥セクタのアドレス情報が格納されたリストである。
【００４７】
図５は本発明の実施の形態１に係る光ディスク装置における欠陥管理方法を示すフローチャートであり、以下、図１、及び図３ないし図５を用いて、欠陥管理方法について説明する。
【００４８】
まず、ステップＳ５１において、光ディスク媒体３０２において一次欠陥が検出されたか否かを判定し、一次欠陥がない場合は処理が終了するとともに、一次欠陥有りと判定された場合、ステップＳ５２において、ＥＣＣブロック同士の境界からの、一次欠陥セクタを含む１ＥＣＣブロック分のセクタを含む領域を一次欠陥領域とみなす。そして、ステップＳ５３において、図１に示すように、そのＥＣＣブロック分全てのセクタの位置を示すアドレス情報をＰＤＬ領域４０６へ登録する。ステップＳ５４において、ＰＤＬへ登録された１ＥＣＣブロック分のセクタをスキップすることで、一次欠陥セクタを１ＥＣＣブロック単位でスキップし、後続する最初の１ＥＣＣブロック分の正常セクタによって置き換える。ステップＳ５５において後続セクタに一次欠陥が検出されたか否かを判定し、一次欠陥が検出されれば、再びステップＳ５２からの処理を繰り返すとともに、一次欠陥が検出されなければ処理を終了する。
【００４９】
以上のように、本実施の形態１によれば、１セクタ単位で一次欠陥セクタの位置を表すアドレス情報をＰＤＬ領域へ登録する欠陥管理方法とは異なり、１ＥＣＣブロック単位で一次欠陥に対する欠陥管理を行うことができる。１ＥＣＣブロック単位で欠陥管理を行うことにより、これから処理を行うセクタがＰＤＬ領域４０６に登録されているかのチェックを１セクタ単位で行う必要もなくなるため、光ディスク制御装置による光ディスク媒体３０２の記録・再生時における処理時間短縮を図ることができる効果がある。
【００５０】
また、光ディスク制御装置が行う処理の負荷も減少させることができるため、開発段階における設計・評価に掛かる時間も短縮でき、また保守等を行い易くすることができる効果がある。
【００５１】
（実施の形態２）
図２は本発明の実施の形態２に係る光ディスク装置による欠陥領域管理方法を説明するための図であり、論理アドレス２０と物理アドレス２１との関係を示している。代替セクタ領域２２は、一次欠陥セクタを含むブロック２３を置き換えるための領域である。
【００５２】
図６は本発明の実施の形態２に係る光ディスク装置による欠陥領域管理方法を説明するためのフローチャートである。
【００５３】
以下、本発明の実施の形態２に係る光ディスク装置における欠陥領域管理方法を、図２、図６、及び前記実施の形態１の説明において用いた図４を用いて説明する。
【００５４】
まず、ステップＳ６１により光ディスク媒体３０２に対して一次欠陥の検出が行われ、一次欠陥が検出されなかった場合、処理が終了するとともに、光ディスク媒体３０２において一次欠陥が検出された場合、ステップＳ６２に示すように、前述した実施の形態１とは異なり、一次欠陥セクタを含むＥＣＣブロックの全てのセクタの位置を表すアドレス情報をＰＤＬ領域４０６へ登録せず、図２に示すようにこの一次欠陥セクタを含むＥＣＣブロックを二次欠陥とみなす。そして、ステップＳ６３において、このＥＣＣブロックとその直前に位置するＥＣＣブロックとの境界の先頭セクタの位置を示すアドレス情報をＳＤＬ領域４０７へ登録する。
【００５５】
続いて、ステップＳ６４において、二次欠陥とみなした欠陥領域であるブロック２３を一次交替領域の代替セクタ領域２２を用いて代替させる。そして、代替させた後、ステップＳ５３において、境界先頭セクタの位置から、二次欠陥とみなした１ＥＣＣブロック分のセクタを光ディスク媒体３０２の記録・再生処理を行う単位に設定し、この１ＥＣＣブロック単位で記録・再生処理が行われ、処理が終了する。
【００５６】
以上のように、本実施の形態２によれば、前記実施の形態１と同様に、光ディスク媒体３０２を１セクタ単位での記録・再生を行う必要がなくなるため、光ディスク制御装置による光ディスク媒体３０２の記録・再生時における処理時間短縮を図ることができる。
【００５７】
同様に、前記光ディスク制御装置が行う処理の負荷を減少させることができるため、開発段階における設計・評価に掛かる時間も短縮でき、かつ保守、サポートを行い易くすることができる。
【００５８】
（実施の形態３）
図７は本発明の実施の形態３に係る光ディスク装置による欠陥領域管理方法を説明するためのフローチャートである。
以下、本発明の実施の形態３に係る光ディスク装置における欠陥領域管理方法を、図７、及び前記実施の形態１の説明において用いた図４を用いて説明する。
【００５９】
まず、予め、光ディスク媒体３０２の物理フォーマット時に、光ディスク媒体３０２の所定の領域に、光ディスク制御装置がこの光ディスク媒体３０２に対して記録・再生を行う単位を、１セクタ単位、または１ＥＣＣブロック単位とすべきかを認識するために用いるデータ、もしくは特定の光ディスク制御装置を用いて物理フォーマットが行われたか否かを特定するためのデータを記録する。
【００６０】
そして、ステップＳ７１において、上述した所定の領域に記録されたデータを参照し、このデータが記録・再生を行う単位を、１セクタ単位、または１ＥＣＣブロック単位とすべきかを認識させるためのデータである場合、ステップＳ７２により、このデータにより指定された単位で、データの記録・再生を行う。
【００６１】
また、上述した所定の領域に記録されたデータを参照し、この光ディスクが特定の光ディスク制御装置と同じ種類の光ディスク制御装置により物理フォーマットを行ったと認識できた場合、光ディスク媒体３０２へのデータ記録を行う際には、記録速度、例えば倍速、や欠陥管理の方法により、必要に応じて処理単位を１セクタ単位、または１ＥＣＣブロック単位の切り換えが可能であると判断する。また、記録したデータの再生処理を前述した光ディスク制御装置により行う際には、記録速度、例えば倍速、や欠陥管理の方法により、再生を行う単位を１セクタ単位、または１ＥＣＣブロック単位の切り換えが可能であると判断する。そして、ステップＳ７２により、記録再生単位を必要に応じて、１セクタ単位または１ＥＣＣブロック単位で切り換えて、記録再生を行う。
【００６２】
また、それ以外の場合においては、ステップＳ７３のように１セクタ単位で記録・再生処理を行う。
【００６３】
以上のように、本実施の形態３によれば、記録・再生の単位を必要に応じて１ＥＣＣブロックに切り換えることで、前記光ディスク制御装置が行う処理の負荷を減少させることができる。
【産業上の利用可能性】
【００６４】
本発明はＤＶＤ−ＲＡＭディスク等の記録可能な光ディスクに対してデータの記録再生を行う光ディスク記録再生装置の、光記録媒体の欠陥領域を管理するための欠陥領域管理方法、及び欠陥領域の管理を行う制御装置として有用である。
【図面の簡単な説明】
【００６５】
【図１】本発明の実施の形態１に係る欠陥領域管理方法を説明するための、データ記録領域とＰＤＬに記録されるアドレス情報との関係を示す図である。
【図２】本発明の実施の形態２に係る欠陥領域管理方法を説明するための、論理アドレスと物理アドレスとの関係を示す図である。
【図３】本発明の実施の形態１に係る光ディスク制御装置の構成を示すブロック図である。
【図４】本発明の実施の形態１に係る欠陥管理方法を説明するための、データ記録領域の構成を示す図である。
【図５】本発明の実施の形態１に係る欠陥管理方法のフローチャートである。
【図６】本発明の実施の形態２に係る欠陥管理方法のフローチャートである。
【図７】本発明の実施の形態３に係る欠陥管理方法のフローチャートである。
【図８】従来の欠陥領域管理方法を説明するための、データ記録領域とＰＤＬに記録されるアドレス情報との関係を示す図である。
【図９】従来の欠陥領域管理方法を説明するための、論理アドレスと物理アドレスとの関係を示す図である。
【図１０】従来の欠陥領域管理方法を説明するための、データ記録領域とＳＤＬに記録されるアドレス情報との関係を示す図である。
【図１１】従来の欠陥領域管理方法を説明するための、データ記録領域と代替セクタ領域との関係を示す図である。
【図１２】従来の欠陥領域管理方法のフローチャートである。
【符号の説明】
【００６６】
３０１  スピンドルモータ
３０２  光ディスク媒体
３０３  モータ駆動回路
３０４  光学ヘッド
３０５  アクチュエータ駆動回路
３０６  サーボ回路
３０７  ヘッドアンプ
３０８  データスライサ
３０９  クロック生成回路
３１０  アドレス取得回路
３１１  記録データデコーダ
３１２  バッファメモリ
３１３  記録データエンコーダ
３１４  レーザ駆動回路
３１５  インタフェース
３１６  パーソナルコンピュータ
３１７  マイクロプロセッサ
４０１  リードイン領域
４０２  データ領域
４０３  リードアウト領域
４０４  ＤＭＡ領域
４０５  ＤＤＳ領域
４０６  ＰＤＬ領域
４０７  ＳＤＬ領域
４０８  一次交替領域
４０９  二次交替領域
【図１】
2005310215.tif 000003
【図２】
2005310215.tif 000004
【図３】
2005310215.tif 000005
【図４】
2005310215.tif 000006
【図５】
2005310215.tif 000007
【図６】
2005310215.tif 000008
【図７】
2005310215.tif 000009
【図８】
2005310215.tif 000010
【図９】
2005310215.tif 000011
【図１０】
2005310215.tif 000012
【図１１】
2005310215.tif 000013
【図１２】
2005310215.tif 000014